(57)【要約】【課題】折畳み式作業台における脚体のロック装置に関して、新しいタイプのロック装置を提供する。【解決手段】天板と脚体の相互において、一方に固設された係止ピン(6)と、他方に回動自在に軸着されたアーム(7)を設け、脚体(3)が開脚姿勢(P1)と閉脚姿勢(P2)の間で旋回したとき、アームスプリング(10)により弾発付勢されたアーム(7)のガイド縁部(11)を係止ピン(6)に当接させながら脚体(3)の旋回動作に追従させ、脚体(3)を閉脚姿勢(P2)から開脚姿勢(P1)まで旋回することにより、係止ピン(6)のアーム(7)に対する相対位置が閉脚位置(Q2)から開脚位置(Q1)に移動するとき、アーム(7)に設けたロック手段(8)により自動的に掴持される自動ロックを可能とする構成とされている。【選択図】図５
2020037815.tif 000002
【特許請求の範囲】
【請求項１】
天板(2)の両端部に位置して、脚体(3)を下向きに垂設させた開脚姿勢(P1)と天板の下側に格納させた閉脚姿勢(P2)の間で旋回自在に枢結して成る折畳み式作業台において、前記脚体を開脚姿勢(P1)で旋回不能にロックするロック装置であり、
ロック装置は、天板と脚体の相互において、一方に固設された係止ピン(6)と、他方に回動自在に軸着されたアーム(7)により構成され、
前記アーム(7)は、アームスプリング(10)により前記係止ピン(6)に向けて回動するように弾発付勢され、前記係止ピン(6)に当接するガイド縁部(11)を設けることにより、脚体を閉脚姿勢と開脚姿勢の間で旋回したとき、ガイド縁部(11)と係止ピン(6)の相対位置に関して、ガイド縁部(11)に沿って係止ピン(6)を閉脚位置(Q2)と開脚位置(Q1)の間で移動させるように構成し、開脚位置(Q1)に移動させられた係止ピン(6)を係脱自在に掴持するロック手段(8)を設けて成ることを特徴とする折畳み式作業台におけるロック装置。
【請求項２】
前記ロック手段(8)は、前記アーム(7)に回動自在に軸支されたロック部材(14)と、該ロック部材の先端部において前記ガイド縁部(11)に対し後退した開姿勢(K1)と前進した閉姿勢(K2)の間で揺動自在とされる揺動部(15)により構成され、該揺動部を閉姿勢に向けて弾発付勢する開閉スプリング(16)を設けており、
前記揺動部(15)は、前記開脚位置(Q1)に向けて移動する係止ピン(6)により押動されたとき開姿勢(K1)とされることにより該係止ピンを受入れ、開閉スプリング(16)により閉姿勢(K2)とされることにより受入れた係止ピン(6)を掴持するように構成されて成ることを特徴とする請求項１に記載の折畳み式作業台におけるロック装置。
【請求項３】
前記開脚位置(Q1)の係止ピン(6)を閉姿勢(K2)とされた揺動部(15)とガイド縁部(11)の間に掴持する構成に関して、ガイド縁部と揺動部の少なくとも一方に、係止ピン(6)を嵌入係止させる凹部を設けて成ることを特徴とする請求項２に記載の折畳み式作業台におけるロック装置。
【請求項４】
前記開脚位置(Q1)の係止ピン(6)を閉姿勢(K2)とされた揺動部(15)とガイド縁部(11)の間に掴持する構成に関して、ガイド縁部(11)に係止ピンを嵌入させる底側凹部(20)を設け、揺動部(15)に係止ピンを包囲する蓋側凹部(21)を設けて成ることを特徴とする請求項２に記載の折畳み式作業台におけるロック装置。
【請求項５】
前記アーム(7)のガイド縁部(11)とロック部材(14)の揺動部(15)は、相互の離間距離を前記凹部に向けて次第に狭めるガイド進入路(19)を形成し、開脚位置(Q1)に向けて移動する係止ピン(6)を前記ガイド進入路(19)に進入させたとき、係止ピン(6)により押動される揺動部(15)が開閉スプリング(16)に抗して開姿勢(K1)とされるように構成して成ることを特徴とする請求項２、３又は４に記載の折畳み式作業台におけるロック装置。
【発明の詳細な説明】
【技術分野】
【０００１】
本発明は、天板の両端部に位置して、脚体を下向きに垂設させた開脚姿勢と天板の下側に格納させた閉脚姿勢の間で旋回自在に枢結して成る折畳み式作業台において、前記脚体を開脚姿勢で旋回不能にロックするためのロック装置に関する。
【背景技術】
【０００２】
従来、折畳み式作業台は、脚体を閉脚姿勢として格納することにより、運搬や保管に便利とするように構成されている。
【０００３】
ところが、脚体を開脚姿勢として作業台を作業のために使用するとき、脚体が閉脚姿勢に向けて不慮に旋回するおそれがあると、天板の傾きや転倒により、作業者の転落事故を招来する危険があるので、脚体を開脚姿勢の状態で旋回不能にロックするためのロック装置が提案されている。
【先行技術文献】
【特許文献】
【０００４】
【特許文献１】特許第３０３０２５３号公報
【特許文献２】特許第３５７４３９１号公報
【発明の概要】
【発明が解決しようとする課題】
【０００５】
本発明は、折畳み式作業台におけるロック装置に関して、従来技術に存在しない新しいタイプのロック装置を提供するものであり、天板と脚体の相互において、一方に固設された係止ピンと、他方に回動自在に軸着されたアームを設け、脚体が開脚姿勢と閉脚姿勢の間で旋回したとき、アームを係止ピンに当接させながら脚体の旋回動作に追従させ、脚体を閉脚姿勢から開脚姿勢まで旋回したとき、係止ピンがアームに対して自動的に係止され、これにより自動ロックを可能とする点に課題がある。
【課題を解決するための手段】
【０００６】
そこで、本発明が手段として構成したところは、天板の両端部に位置して、脚体を下向きに垂設させた開脚姿勢と天板の下側に格納させた閉脚姿勢の間で旋回自在に枢結して成る折畳み式作業台において、前記脚体を開脚姿勢で旋回不能にロックするロック装置であり、ロック装置は、天板と脚体の相互において、一方に固設された係止ピンと、他方に回動自在に軸着されたアームにより構成され、前記アームは、アームスプリングにより前記係止ピンに向けて回動するように弾発付勢され、前記係止ピンに当接するガイド縁部を設けることにより、脚体を閉脚姿勢と開脚姿勢の間で旋回したとき、ガイド縁部と係止ピンの相対位置に関して、ガイド縁部に沿って係止ピンを閉脚位置と開脚位置の間で移動させるように構成し、開脚位置に移動させられた係止ピンを係脱自在に掴持するロック手段を設けて成る点にある。
【０００７】
好ましくは、前記ロック手段は、前記アームに回動自在に軸支されたロック部材と、該ロック部材の先端部において前記ガイド縁部に対し後退した開姿勢と前進した閉姿勢の間で揺動自在とされる揺動部により構成され、該揺動部を閉姿勢に向けて弾発付勢する開閉スプリングを設けており、前記揺動部は、前記開脚位置に向けて移動する係止ピンにより押動されたとき開姿勢とされることにより該係止ピンを受入れ、開閉スプリングにより閉姿勢とされることにより受入れた係止ピンを掴持するように構成されている。
【０００８】
前記開脚位置の係止ピンを閉姿勢とされた揺動部とガイド縁部の間に掴持する構成は、ガイド縁部と揺動部の少なくとも一方に、係止ピンを嵌入係止させる凹部を設けることにより構成しても良く、或いは、ガイド縁部に係止ピンを嵌入させる底側凹部を設け、揺動部に係止ピンを包囲する蓋側凹部を設けることにより構成しても良い。
【０００９】
好ましい実施形態において、前記アームのガイド縁部とロック部材の揺動部は、相互の離間距離を前記凹部に向けて次第に狭めるガイド進入路を形成し、開脚位置に向けて移動する係止ピンを前記ガイド進入路に進入させたとき、係止ピンにより押動される揺動部が開閉スプリングに抗して開姿勢とされるように構成している。
【発明の効果】
【００１０】
本発明によれば、作業台に新しいタイプのロック装置を提供することができる。天板２と脚体３の相互において、一方に固設された係止ピン６と、他方に回動自在に軸着されたアーム７を設け、脚体３を開脚姿勢Ｐ１と閉脚姿勢Ｐ２の間で旋回したとき、アーム７を係止ピン６に当接させながら脚体３の旋回動作に追従させ、アーム７と係止ピン６の相対位置が特定の位置関係とされたとき、係止ピン６を係脱自在にロックするロック手段８をアーム７に設けているので、脚体３を閉脚姿勢Ｐ２から開脚姿勢Ｐ１まで旋回したとき、係止ピン６がアーム７に対して自動的に係止され、脚体３を旋回不能とするための自動ロックが可能になる。
【図面の簡単な説明】
【００１１】
【図１】本発明の１実施形態に係るロック装置を備えた作業台の１例を示す斜視図である。
【図２】作業台を示しており、（Ａ）は脚体を開脚姿勢とした作業台の正面図、（Ｂ）は脚体を閉脚姿勢とした作業台の正面図である。
【図３】第１実施形態に係るロック装置を示す斜視図である。
【図４】第１実施形態に関して、（Ａ）はロック装置を分解状態で示す斜視図、（Ｂ）（Ｃ）はアームに軸支されたロック部材の動作を示す正面図である。
【図５】第１実施形態に係るロック装置に関して、係止ピンとアームとロック手段の関係を示す正面図である。
【図６】脚体を開脚姿勢から閉脚姿勢とする作用に関して、（Ａ）はロック状態を示す正面図、（Ｂ）はロック解除状態を示す正面図である。
【図７】脚体を開脚姿勢から閉脚姿勢とする作用に関して、（Ａ）はロック解除状態からアームを押上げた状態を示す正面図、（Ｂ）はアームを押上げた状態でロック部材を復帰させた状態を示す正面図である。
【図８】脚体を開脚姿勢から閉脚姿勢とする作用に関して、（Ａ）はロック解除状態でアームを復帰させた状態を示す正面図、（Ｂ）はその状態で脚体を閉脚姿勢に向けて旋回させた状態を示す正面図である。
【図９】脚体を開脚姿勢から閉脚姿勢とする作用に関して、（Ａ）は脚体を閉脚姿勢に向けて旋回中の状態を示す正面図、（Ｂ）は脚体を閉脚姿勢とした状態を示す正面図である。
【図１０】脚体を閉脚姿勢から開脚姿勢とする作用に関して、（Ａ）は脚体を閉脚姿勢から開脚姿勢に向けて旋回した状態を示す正面図、（Ｂ）は脚体の旋回中に係止ピンがロック部材のガイド進入路に進入した状態を示す正面図である。
【図１１】脚体を閉脚姿勢から開脚姿勢とする作用に関して、（Ａ）は脚体の旋回中に係止ピンがロック部材の揺動部を開姿勢とした状態を示す正面図、（Ｂ）はロック部材により自動ロックされた状態を示す正面図である。
【図１２】第２実施形態に係るロック装置を示しており、（Ａ）は脚体を開脚姿勢としてロック装置によりロックした状態を示す正面図、（Ｂ）はロック解除状態で脚体を閉脚姿勢に向けて旋回中の状態を示す正面図、（Ｃ）は脚体を閉脚姿勢とした状態を示す正面図である。
【発明を実施するための形態】
【００１２】
以下図面に基づいて本発明の好ましい実施形態を詳述する。
【００１３】
（作業台の１例）
本発明のロック装置を実施するための作業台は、建設現場等において高所作業のために使用される種々の形式のものを広く含む汎用の作業台であり、従って、その形状や大きさを特に限定するものではないが、その１例を図１及び２に示している。
【００１４】
図例の場合、作業台１は、天板２の両端部に位置して、相互に対向する一対の脚体３、３を設け、脚体３を天板２から下向きとして垂設させた開脚姿勢Ｐ１と、天板２の下側に格納させた閉脚姿Ｐ２の間で、姿勢変更自在とする枢結機構４を設けている。各脚体３は、一対の柱脚３ａ、３ａを踏桟３ｂにより連結した梯子脚を構成しており、一対の柱脚３ａ、３ａの上端部と、天板２の両端部の側部との間に、それぞれ枢結機構４が介設されており、該枢結機構４にロック装置５が設けられている。
【００１５】
ロック装置５は、脚体３を開脚姿勢Ｐ１とした状態で旋回不能にロックするものであり、全ての枢結機構４に設けても良いが、各脚体３を構成する一対の柱脚３ａ、３ａに設けられた一対の枢結機構４、４の一方にだけ設けても良い。
【００１６】
図３ないし図５に示すように、枢結機構４は、天板４の端部の側面に固設される天板側ブラケット４ａと、脚体３の柱脚３ａの上端部の側面に固設される脚体側ブラケット４ｂを相互に、枢軸４ｃにより回動自在に枢結した構成とされ、これにより、脚体３は、枢軸４ｃを中心軸として、開脚姿勢Ｐ１と閉脚姿勢Ｐ２の間で旋回自在となるように枢支されている。
【００１７】
（ロック装置の第１実施形態）
ロック装置５の第１実施形態を図３ないし図１１に示している。
【００１８】
図３ないし図５に示すように、ロック装置５は、天板２と脚体３の相互において、脚体３の側（図例の場合、脚体側ブラケット４ｂ）に固設された係止ピン６と、天板２の側（図例の場合、天板側ブラケット４ａ）に回動自在に軸着されたアーム７と、該アーム７に設けられたロック手段８により構成されている。
【００１９】
前記係止ピン６は、図５に示すように、脚体３を開脚姿勢Ｐ１と閉脚姿勢Ｐ２の間で旋回したとき、開脚姿勢Ｐ１に対応する開脚位置Ｑ１と閉脚姿勢Ｐ２に対応する閉脚位置Ｑ２の間において、枢軸４ｃから半径Ｒ１で規定される円弧に沿って移動させられる。
【００２０】
前記アーム７は、支軸９により天板側ブラケット４ａに回動自在に軸着された上端部から、脚体側ブラケット４ｂに向けて延びると共に、アームスプリング１０により前記係止ピン６に向けて回動するように弾発付勢され、前記係止ピン６に当接するガイド縁部１１を形成しており、該ガイド縁部１１の反対側の側縁部を折曲することによりリブ壁１２を設けている。
【００２１】
前記ガイド縁部１１は、図５に示すように、アーム７の支軸９を中心とする円弧に関して、該円弧内に前記閉脚位置Ｑ２に位置する係止ピン６を含む半径Ｒ２を有するアーム縁部の領域に形成されている。図例の場合、半径Ｒ２で規定される円弧が閉脚位置Ｑ２に位置する係止ピン６の中心を通過するものとされ、ガイド縁部１１が該円弧の内側に位置している。そして、ガイド縁部１１は、内側に向けて前記半径Ｒ１で規定された円弧に交わる位置まで弧を描いて延びるように形成されている。
【００２２】
そこで、脚体３を閉脚姿勢Ｐ２から開脚姿勢Ｐ１に向けて旋回したとき、係止ピン６は、閉脚位置Ｑ２から開脚位置Ｑ１に向けて移動する。後述するように、係止ピン６は、アームスプリング１０により弾発付勢されたアーム７のガイド縁部１１に沿って当接状態で摺動し、開脚位置Ｑ１に移動させられたとき、ロック手段８により掴持され、これにより脚体３を開脚姿勢Ｐ１の状態で旋回不能にロックする。
【００２３】
前記ロック手段８は、図４に示すように、アーム７の延長方向の中間部に支軸１３を介して回動自在に軸支されたロック部材１４により構成されている。該ロック部材１４は、先端部に位置して前記ガイド縁部１１に対して後退した開姿勢Ｋ１と前進した閉姿勢Ｋ２の間で揺動自在とされる揺動部１５を設けており、該揺動部１５を閉姿勢Ｋ２に向けて弾発付勢する開閉スプリング１６を設けている。
【００２４】
前記ロック部材１４は、開閉スプリング１６により揺動部１５を閉姿勢Ｋ２とした状態で、前記アーム７のリブ壁１２に当接することにより該閉姿勢Ｋ２を保持するストッパ部１７を備えている。この状態から、作業者が開閉スプリング１６に抗してロック部材１４を回動させると、揺動部１５が開姿勢Ｋ１とされるように構成されており、このため、ロック部材１４を作業者の指先等で押動するための舌片１８が設けられている。
【００２５】
ロック部材１４の揺動部１５を閉姿勢Ｋ２とした状態で、図４（Ｂ）及び図５に示すように、揺動部１５とガイド縁部１１の縁部の相互により、ほぼＶ形の進入路１９が形成されている。図５に示すように、脚体３を開脚姿勢Ｐ１とした状態で、前記進入路１９は、係止ピン６の移動軌跡となる半径Ｒ１の円弧と、アーム７の支軸９を中心とする半径Ｒ３（Ｒ３＜Ｒ２）により規定される円弧との交点に位置するロック開始位置Ｑ３に臨むように配置されている。
【００２６】
そこで、後述するように、脚体３を閉脚姿勢Ｐ２から開脚姿勢Ｐ１に向けて旋回することにより係止ピン６を閉脚位置Ｑ２から開脚位置Ｑ１に向けて移動したとき、係止ピン６は、ガイド縁部１１を摺動しながら進入路１９に進入し、Ｖ形の進入路１９を押し広げながら揺動部１５を押動する。
【００２７】
係止ピン６に押動された揺動部１５は、開閉スプリング１６に抗して開姿勢Ｋ１とされ、該揺動部１５とガイド縁部１１の間に係止ピン６を受入れ、受入れ後は、瞬時に開閉スプリング１６により閉姿勢Ｋ２とされ、係止ピン６を掴持する。
【００２８】
前記係止ピン６の掴持を確実に行わせるためには、ガイド縁部１１と揺動部１５の少なくとも一方に、係止ピン６を嵌入係止させる凹部を設けることが好ましく、図示実施形態の場合、ガイド縁部１１に底側凹部２０を設けると共に、揺動部１５に蓋側凹部２１を設けている。従って、このように構成した場合、ガイド縁部１１に沿って進入路１９に進入する係止ピン６は、揺動部１５を開姿勢Ｋ１に向けて押動しながら、底側凹部２０に嵌入される。嵌入後は、直ちに揺動部１５が閉姿勢Ｋ２とされ、蓋側凹部２１により係止ピン６を包囲し、脱出不能にロックする。
【００２９】
ロック部材１４は、図４（Ｂ）及び図５に示すように、揺動部１５を閉姿勢Ｋ２としたとき、前記底側凹部２０と蓋側凹部２１を対向させることにより全体として係止ピン６の周囲を抱持する円形孔を形成し、この状態で、ロック部材１４の背縁部（凹部２１の反対側に位置する縁部）により、後述するように脚体３を閉脚方向に旋回するときに、係止ピン６を当接させるための当接縁部２２が形成されている。
【００３０】
（作用）
以下、第１実施形態に係るロック装置の作用を説明する。図中、黒塗りの矢印は、アームスプリング１０の弾発付勢力によるアーム７の正転方向と、開閉スプリング１６の弾発付勢力によるロック部材１４の正転方向を示しており、白抜きの矢印は、アーム７及びロック部材１４がそれぞれのスプリングに抗して逆転させられたときの方向を示している。
【００３１】
（開脚姿勢から閉脚するときの作用）
図６ないし図９は、脚体３が開脚姿勢Ｐ１とされロック装置５により旋回不能にロックされた状態から、ロックを解除して、閉脚姿勢Ｐ２とするまでの作用を示している。
【００３２】
図６（Ａ）は、開脚姿勢Ｐ１とされた脚体３の係止ピン６がロック手段８によりロックされた状態を示している。ロックを解除するためには、図６（Ｂ）に示すように、作業者の手指等で舌片１８を押動することにより、ロック部材１４を開閉スプリング１６に抗して回動させ、揺動部１５を開姿勢Ｋ１とする。揺動部１５を開姿勢Ｋ１としたまま手指等による押動を続けると、図７（Ａ）に示すように、アーム７が持ち上げ方向に回動され、開姿勢Ｋ１とされたロック部材１４の揺動部１５を係止ピン６の上方位置まで移動する。そこで、作業者の指先等を解放すると、図７（Ｂ）に示すように、ロック部材１４が揺動部１５を閉姿勢Ｋ２とするように回動すると共に、図８（Ａ）に示すように、アーム７がアームスプリング１０により係止ピン６に向けて回動され、ロック部材１４の当接縁部２２を係止ピン６に当接した状態で停止する。
【００３３】
従って、図８（Ａ）に示す状態でロック装置５のロックは解除されているので、以後は、係止ピン６と共に脚体３を閉脚姿勢Ｐ２に向けて旋回すれば良い。
【００３４】
図８（Ｂ）及び図９（Ａ）に示すように、脚体３を閉脚姿勢Ｐ２に向けて旋回し、係止ピン６を閉脚位置Ｑ２に向けて移動させているとき、アーム７は、アームスプリング１０により、係止ピン６に追従して回動する。図８（Ｂ）の状態では、ロック部材１４の当接縁部２２を係止ピン６に当接した状態でアーム７が係止ピン６の移動に追従しているが、その後、係止ピン６が更に移動すると、ガイド縁部１１を係止ピン６に当接させることにより、アーム７の追従が行われる。従って、脚体３を閉脚姿勢Ｐ２に向けて旋回している間、アーム７を含むロック装置５の構成部品がガタツキを生じるようなことはなく、スムースな旋回動作を行うことができる。この際、比較的強いバネ力を有するアームスプリング１０を使用しておけば、アーム７が係止ピン６を閉脚位置Ｑ２に向けて移動させる駆動力を発生することができるので、作業者が脚体３を閉脚姿勢Ｐ２に向けて旋回する際に必要な腕力を軽減することが可能となる。
【００３５】
図９（Ｂ）に示すように、脚体３を閉脚姿勢Ｐ２としたとき、係止ピン６は、枢軸４ｃの下方の閉脚位置Ｑ２に位置し、この状態で、矢印Ｆで示すように、アーム７による横向きの押圧力を受けている。従って、脚体３の閉脚姿勢Ｐ２が保持され、脚体３が自重で開脚方向に回動することはない。
【００３６】
（閉脚姿勢から開脚するときの作用）
図１０及び図１１は、脚体３が閉脚姿勢Ｐ２とされた状態から、開脚姿勢Ｐ１に向けて旋回したとき、開脚姿勢Ｐ１に至るや否やロック装置５により自動ロックされる作用を示している。
【００３７】
図１０（Ａ）は、脚体３を鎖線で示す閉脚姿勢Ｐ２から下向きに旋回させた状態を示している。図示のように、脚体３と共に係止ピン６が枢軸４ｃの廻りに移動し、係止ピン６は、アーム７のガイド縁部１１を押圧しながら摺動するので、これによりアーム７がアームスプリング１０に抗して回動させられる。
【００３８】
図１０（Ｂ）に示すように、枢軸４ｃを支点とする脚体３の旋回と共に移動する係止ピン６は、アーム７のガイド縁部１１に沿って摺動しつつ上記のロック開始位置Ｑ３に向けて移動し、進入路１９に進入する。脚体３を開脚姿勢Ｐ１に向けて旋回し続けると、図１１（Ａ）に示すように、係止ピン６は、ガイド縁部１１を押圧することによりアーム７をアームスプリング１０に抗して回動させながら、同時に、ロック部材１４の揺動部１５を開姿勢Ｋ１に向けて押動し、開状態とされた底側凹部２０に嵌入される。
【００３９】
上述のように、係止ピン６が底側凹部２０に嵌入されるや否や、瞬時に揺動部１５が閉姿勢Ｋ２とされ、蓋側凹部２１により係止ピン６を包囲することにより、脱出不能にロックする。これにより、図１１（Ｂ）に示すように、脚体３は、開脚姿勢Ｐ１の状態で旋回不能にロックされる。
【００４０】
（ロック装置の第２実施形態）
図１２は、ロック装置５の第２実施形態を示している。
【００４１】
上述した第１実施形態においては、係止ピン６を脚体３（脚体側ブラケット４ｂ）に設け、アーム７を天板２（天板側ブラケット４ａ）に軸着した構成としたロック装置５を示したが、第２実施形態は、係止ピン６とアーム７を相互に反対側に入れ替えて配置することによりロック装置５を構成している。従って、配置形態だけが相違し、具体的構成部材は第１実施形態と同様であり、同一部材を同一符号で示している。
【００４２】
脚体３を開脚姿勢Ｐ１としたとき、図１２（Ａ）に示すように、天板２（図示省略した天板側ブラケット）に固設された係止ピン６に対して、脚体３（図示省略した脚体側ブラケット）に回動自在に軸着したアーム７が上から下に向けて弾発付勢され、ロック部材１４により構成されたロック手段８により係止ピン６を掴持している。従って、脚体３は、旋回不能にロックされている。
【００４３】
第１実施形態の場合と同様にロック部材１４を回動させることによりロックを解除すると、脚体３は、図１２（Ｂ）に示すように、閉脚姿勢Ｐ２に向けて旋回することができ、旋回中、アーム７は、ガイド縁部１１を係止ピン６に当接した状態で、脚体３と共に転回させられ、図１２（Ｃ）に示すように、脚体３を閉脚姿勢Ｐ２とすることができる。
【００４４】
脚体３を閉脚姿勢Ｐ２から開脚姿勢Ｐ１に向けて旋回するときは、前記とは反対に、図１２（Ｃ）、図１２（Ｂ）、図１２（Ａ）の順で、脚体３を旋回することにより、アーム７のガイド縁部１１を係止ピン６に弾接した状態で摺動させながら転回させ、進入路１９に進入する係止ピン６を第１実施形態の場合と同様の方法で自動ロックする。
【符号の説明】
【００４５】
１  作業台
２  天板
３  脚体
３ａ  柱脚
３ｂ  踏桟
４  枢結機構
４ａ  天板側ブラケット
４ｂ  脚体側ブラケット
４ｃ  枢軸
５  ロック装置
６  係止ピン
７  アーム
８  ロック手段
９  支軸
１０  アームスプリング
１１  ガイド縁部
１２  リブ壁
１３  支軸
１４  ロック部材
１５  揺動部
１６  開閉スプリング
１７  ストッパ部
１８  舌片
１９  進入路
２０  底側凹部
２１  蓋側凹部
２２  当接縁部
【図１】
2020037815.tif 000003
【図２】
2020037815.tif 000004
【図３】
2020037815.tif 000005
【図４】
2020037815.tif 000006
【図５】
2020037815.tif 000007
【図６】
2020037815.tif 000008
【図７】
2020037815.tif 000009
【図８】
2020037815.tif 000010
【図９】
2020037815.tif 000011
【図１０】
2020037815.tif 000012
【図１１】
2020037815.tif 000013
【図１２】
2020037815.tif 000014